【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
投影手段によって投影面に所定の画像を投影する画像処理装置であって、
前記投影面に投影された投影画像を撮像して得た撮像画像に基づいて、前記投影画像に対して指定された指定領域を判断する判断手段と、
前記判断された指定領域の前記投影する所定の画像における位置を算出する算出手段と、
前記算出された位置に基づいて、前記投影する所定の画像の前記指定された指定領域に対応する領域に所定の画像処理を行う画像処理手段と、
少なくとも２つの前記撮像画像の差分を抽出する画像比較手段と、を有し、
前記判断手段は、
前記抽出された差分に基づいて前記指定された指定領域を判断する画像処理装置。
【請求項２】
前記画像比較手段は、
前記少なくとも２つの前記撮像画像の複数の画素に対して同一位置の画素値の差をそれぞれ計算し、
前記計算した画素値の差が予め定められたしきい値を超えた画素を、前記指定領域を指定する画素と判断する請求項１に記載の画像処理装置。
【請求項３】
投影手段によって投影面に所定の画像を投影する画像処理装置であって、
前記投影面に投影された投影画像を撮像して得た撮像画像に基づいて、前記投影画像に対して指定された指定領域を判断する判断手段と、
前記判断された指定領域の前記投影する所定の画像における位置を算出する算出手段と、
前記算出された位置に基づいて、前記投影する所定の画像の前記指定された指定領域に対応する領域に所定の画像処理を行う画像処理手段と、
前記指定領域を指定する曲線が開いていると判断した場合、該曲線を閉曲線に補間する補間手段と、
を有する画像処理装置。
【請求項４】
前記補間手段は、
前記指定領域を指定する曲線が開いていると判断した場合、該曲線の始点と終点との間を直線又は曲線で補間する請求項３に記載の画像処理装置。
【請求項５】
前記補間手段は、
前記指定領域を指定する曲線が開いていると判断した場合、該曲線の少なくとも一つの端点と、該曲線上の複数の点との間を直線で補間したときの前記指定領域の面積をそれぞれ計算し、
前記指定領域の面積が最大となる該曲線上の点と、前記少なくとも一つの端点との間を直線又は曲線で補完する請求項３に記載の画像処理装置。
【請求項６】
投影手段によって投影面に所定の画像を投影する画像処理装置であって、
前記投影面に投影された投影画像を撮像して得た撮像画像に基づいて、前記投影画像に対して指定された指定領域を判断する判断手段と、
前記判断された指定領域の前記投影する所定の画像における位置を算出する算出手段と、
前記算出された位置に基づいて、前記投影する所定の画像の前記指定された指定領域に対応する領域に所定の画像処理を行う画像処理手段と、を有し、
前記算出手段は、
前記撮像画像に含まれる前記投影画像を抽出し、
前記抽出された投影画像と前記判断された指定領域との比に基づいて、前記判断された指定領域の前記投影する所定の画像における位置を算出する画像処理装置。
【請求項７】
投影手段によって投影面に所定の画像を投影する画像処理装置であって、
前記投影面に投影された投影画像を撮像して得た撮像画像に基づいて、前記投影画像に対して指定された指定領域を判断する判断手段と、
前記判断された指定領域の前記投影する所定の画像における位置を算出する算出手段と、
前記算出された位置に基づいて、前記投影する所定の画像の前記指定された指定領域に対応する領域に所定の画像処理を行う画像処理手段と、を有し、
前記画像処理手段は、
前記投影する所定の画像の前記指定された指定領域に対応する画素を、所定の色に置換する画像処理装置。
【請求項８】
前記画像処理手段は、
前記投影する所定の画像の背景色を検出し、
前記投影する所定の画像の前記指定された指定領域に対応する画素を、前記検出した背景色に置換する請求項７に記載の画像処理装置。
【請求項９】
投影手段によって投影面に所定の画像を投影する画像処理装置であって、
前記投影面に投影された投影画像を撮像して得た撮像画像に基づいて、前記投影画像に対して指定された指定領域を判断する判断手段と、
前記判断された指定領域の前記投影する所定の画像における位置を算出する算出手段と、
前記算出された位置に基づいて、前記投影する所定の画像の前記指定された指定領域に対応する領域に所定の画像処理を行う画像処理手段と、を有し、
前記指定領域は発光部を有する指示具によって指定され、
前記判断手段は、
継続的に撮像された複数の前記撮像画像、又は前記発光部の軌跡を撮像した前記撮像画像に基づいて、前記指定された指定領域を判断する画像処理装置。
【請求項１０】
投影手段によって投影面に所定の画像を投影する画像処理装置であって、
前記投影面に投影された投影画像を撮像して得た撮像画像に基づいて、前記投影画像に対して指定された指定領域を判断する判断手段と、
前記判断された指定領域の前記投影する所定の画像における位置を算出する算出手段と、
前記算出された位置に基づいて、前記投影する所定の画像の前記指定された指定領域に対応する領域に所定の画像処理を行う画像処理手段と、
前記撮像画像に基づいて前記投影面に予め定められた光を検出した場合、前記投影画像の前記検出した光に対応する位置の周囲にカーソルを表示するカーソル表示手段と、を有し、
前記判断手段は、
予め定められた操作を受け付けた場合、前記表示されたカーソルの範囲内を前記指定された指定領域と判断する画像処理装置。
【請求項１１】
投影面に所定の画像を投影する投影手段と、
前記投影面に投影された投影画像を撮像する撮像手段と、
前記投影画像に対して指定された指定領域を、前記撮像手段によって撮像された撮像画像に基づいて判断する判断手段と、
前記判断された指定領域の前記投影する所定の画像における位置を算出する算出手段と、
前記算出された位置に基づいて、前記投影する所定の画像の前記指定された指定領域に対応する領域に所定の画像処理を行う画像処理手段と、
少なくとも２つの前記撮像画像の差分を抽出する画像比較手段と、を有し、
前記判断手段は、
前記抽出された差分に基づいて前記指定された指定領域を判断する画像処理システム。
【請求項１２】
投影手段によって投影面に所定の画像を投影する画像処理装置を、
前記投影面に投影された投影画像を撮像して得た撮像画像に基づいて、前記投影画像に対して指定された指定領域を判断する判断手段と、
前記判断された指定領域の前記投影する所定の画像における位置を算出する算出手段と、
前記算出された位置に基づいて、前記投影する所定の画像の前記指定された指定領域に対応する領域に所定の画像処理を行う画像処理手段と、
少なくとも２つの前記撮像画像の差分を抽出する画像比較手段と、
として機能させ、
前記判断手段は、
前記抽出された差分に基づいて前記指定された指定領域を判断するプログラム。
【請求項１３】
投影手段によって投影面に所定の画像を投影する画像処理装置の制御方法であって、
前記画像処理装置が、
前記投影面に投影された投影画像を撮像して得た少なくとも２つの撮像画像の差分を抽出するステップと、
前記抽出された差分に基づいて、前記投影画像に対して指定された指定領域を判断するステップと、
前記判断された指定領域の前記投影する所定の画像における位置を算出するステップと、
前記算出された位置に基づいて、前記投影する所定の画像の前記指定された指定領域に対応する領域に所定の画像処理を行うステップと、
を実行する、画像処理装置の制御方法。
【手続補正２】
【補正対象書類名】明細書
【補正対象項目名】０００６
【補正方法】変更
【補正の内容】
【０００６】
上記課題を解決するため、本発明の一実施形態に係る画像処理装置は、投影手段によって投影面に所定の画像を投影する画像処理装置であって、前記投影面に投影された投影画像を撮像して得た撮像画像に基づいて、前記投影画像に対して指定された指定領域を判断する判断手段と、前記判断された指定領域の前記投影する所定の画像における位置を算出する算出手段と、前記算出された位置に基づいて、前記投影する所定の画像の前記指定された指定領域に対応する領域に所定の画像処理を行う画像処理手段と、少なくとも２つの前記撮像画像の差分を抽出する画像比較手段と、を有し、前記判断手段は、前記抽出された差分に基づいて前記指定された指定領域を判断する。